(57)【要約】  【課題】  施工に複雑な工程を必要とせず、安価で、グラウンド表面が高温となりにくい人工芝グラウンドを構成する不陸整正層の施工方法および人工芝グラウンドの施工方法並びに人工芝グラウンドを提供すること。  【解決手段】  人工芝グラウンドを構成する不陸整正層１の施工方法であって、前記不陸整正層１を、表層土２に木質材料３を混合して形成する。  【選択図】  図１
2006037484.tif 000002
【特許請求の範囲】
【請求項１】
人工芝グラウンドを構成する不陸整正層の施工方法であって、前記不陸整正層を、表層土に木質材料を混合して形成することを特徴とする不陸整正層の施工方法。
【請求項２】
前記木質材料と表層土との体積比を０．２〜０．５とする請求項１に記載の不陸整正層の施工方法。
【請求項３】
前記木質材料が、チップ状、小片状または粉粒状に形成されている請求項１または２に記載の不陸整正層の施工方法。
【請求項４】
請求項１〜３のいずれかに記載の施工方法により形成された不陸整正層の上側に人工芝を敷設することを特徴とする人工芝グラウンドの施工方法。
【請求項５】
請求項１〜３のいずれかに記載の施工方法により不陸整正層を形成し、その上側に人工芝を敷設することを特徴とする人工芝グラウンドの施工方法。
【請求項６】
請求項４または５に記載の施工方法により形成されたことを特徴とする人工芝グラウンド。
【発明の詳細な説明】
【技術分野】
【０００１】
この発明は、例えば、サッカー場、ゴルフ場（グリーンやフェアウェイ）、各種競技場、テニスコート、野球グラウンド等のスポーツグラウンドとして用いられる人工芝グラウンドを構成する不陸整正層の施工方法および人工芝グラウンドの施工方法並びに人工芝グラウンドに関する。
【背景技術】
【０００２】
従来の人工芝グラウンドの施工方法として、グラウンドの表層土を１５ｃｍ程度掘削した後、砕石舗装を行って下層路盤を形成し、この下層路盤を透水性アスファルトコンクリートで舗装し、その上に人工芝マットを敷設するものがある。ここで、透水性アスファルトコンクリートとは、複数の骨材を固結一体化する固結材にアスファルトを使用したものである。従って、上記施工方法では、骨材とアスファルトとの混合物を下層路盤上に敷設することにより、アスファルトコンクリート養生後に複数の骨材が固結一体化され不陸整正層が形成される。
【０００３】
また、別の施工方法として、下層路盤上に複数の骨材を敷き均した上から固化材として接着樹脂を散布して複数の骨材を固結一体化し、不陸整正層を形成するものもある。
【０００４】
すなわち、上記のような不陸整正層を設けない場合、人工芝を敷設する際の重機操作等によって人工芝の設置面に凹凸が生じ、仕上がった人工芝面にも凹凸が生じてその使用が不可能となるため、不陸整正層の形成は人工芝グラウンドの施工に必須である。
【特許文献１】特開平１０−３７１２２号公報
【発明の開示】
【発明が解決しようとする課題】
【０００５】
しかし、上述の様な施工方法では、複雑な工程のためその管理が困難となることに加え、掘削土の処理（残土処理）等に多大なコスト・労力がかかってしまう。また、人工芝の下地がアスファルトコンクリートやコンクリートとなるため、グラウンドが高温となってしまい、グラウンド上でのスポーツ等に支障をきたすおそれがあると共に、人工芝の劣化が早く進んでしまうという問題がある。
【０００６】
この発明は上述の事柄に留意してなされたもので、その目的は、施工に複雑な工程を必要とせず、安価で、グラウンド表面が高温となりにくい人工芝グラウンドを構成する不陸整正層の施工方法および人工芝グラウンドの施工方法並びに人工芝グラウンドを提供することである。
【課題を解決するための手段】
【０００７】
上記目的を達成するために、この発明の不陸整正層の施工方法は、人工芝グラウンドを構成する不陸整正層の施工方法であって、前記不陸整正層を、表層土に木質材料を混合して形成することを特徴としている（請求項１）。
【０００８】
そして、前記木質材料と表層土との体積比は０．２〜０．５とすることが望ましく（請求項２）、前記木質材料は、チップ状、小片状または粉粒状に形成されているのが好ましい（請求項３）。
【０００９】
また、上記目的を達成するために、この発明の人工芝グラウンドの施工方法は、請求項１〜３のいずれかに記載の施工方法により形成された不陸整正層の上側に人工芝を敷設するか（請求項４）、あるいは、請求項１〜３のいずれかに記載の施工方法により不陸整正層を形成し、その上側に人工芝を敷設する（請求項５）ことを特徴としている。
【００１０】
また、上記目的を達成するために、この発明の人工芝グラウンドは、請求項４または５に記載の施工方法により形成されたことを特徴としている（請求項６）。
【発明の効果】
【００１１】
請求項１に係る発明では、施工に複雑な工程を必要としない安価な人工芝グラウンド構成用の不陸整正層が得られる。すなわち、前記人工芝グラウンドを構成する不陸整正層を施工する際に、現場の土をそのまま利用することができ、残土処理が不要となるのに加え、砕石やアスファルトコンクリート等を別途用意する必要もない。従って、前記不陸整正層の施工方法は、経済性に優れるばかりか、施工の工程が非常にシンプルであり、施工のための労力を低減することができる。
【００１２】
また、前記不陸整正層の施工方法は、アスファルト等のバインダー剤を用いないので、環境に悪影響や負荷を与えず、むしろ、木材として価値のない伐採木等（低位利用木材）を木質材料として用いることができるので、近年要望が高まっている資源の有効利用を促進するものとなる。しかも、将来的に施工した不陸整正層を含む人工芝グラウンドに改修が必要となった際に、その処理を容易に行うことができる。
【００１３】
さらに、前記不陸整正層を構成する表層土および木質材料は保水性を有し、この不陸整正層を含む人工芝グラウンドの表面温度の上昇時には表層土および木質材料に含有された水が蒸散する。そして、この蒸散作用により、前記人工芝グラウンドは表面が高温になりにくい構造となる。従って、前記人工芝グラウンド上での運動等を快適に行うことができ、また、温度上昇による人工芝の劣化を遅らせ、その寿命を延ばすことができる。
【００１４】
その上、表層土に混合した木質材料により、前記不陸整正層を含む人工芝グラウンドに適度なクッション性を持たせることができ、前記人工芝グラウンド上で運動する者の身体にかかる負担を軽減することができる。加えて、前記木質材料により前記不陸整正層に透水性を持たせて降雨等によるグラウンドの泥濘化を効果的に防止することができるので、グラウンドの使用性を大いに向上させることができる。
【００１５】
また、請求項２に係る発明では、表層土に混合する木質材料の割合が適切に調整されているので、転圧後の不陸整正層内に空隙が殆ど存在しない状態となり、不陸整正層およびこの不陸整正層の上側に敷設される人工芝面に不陸が生じることを確実に防止することができる。従って、例えば、前記人工芝グラウンド上でのサッカー等の球技中に球がイレギュラーバウンドするような不具合が極めて発生しにくくなる。
【００１６】
さらに、請求項３に係る発明では、表層土に対する木質材料の混合を行い易く、従って、その混合状態が良好なものとなり、より性能の優れた人工芝グラウンド構成用の不陸整正層が得られる。
【００１７】
そして、請求項４および５に係る発明では、上記の効果を奏する請求項１〜３に係る不陸整正層を含む人工芝グラウンドを施工することができ、請求項６に係る発明では、上記の効果を奏する人工芝グラウンドが得られる。
【発明を実施するための最良の形態】
【００１８】
図１および図２は、この発明の一実施の形態を示す。図１は、この発明の一実施の形態に係る人工芝グラウンドの構成を概略的に示す縦断面図であり、この図において、１は少なくとも施工区の表層土２および木質材料３を混合して形成された不陸整正層である。この不陸整正層１は、５〜２０ｃｍ程度、好ましくは１０〜１５ｃｍ程度の厚みを有している。
【００１９】
前記木質材料３は、例えば、チップ化したり粉砕して粉末化された間伐材（伐採木）や建築廃材等の他、竹や樹皮などの植物性（繊維性）材料等の細片や粉砕物等からなる。そして、木質材料３は、例えば直径０．５〜３．０ｍｍ程度の大きさの粉粒状のものでもよく、またはそれより大きい例えば直径３．０〜１０．０ｍｍ、長さ１０．０〜３０．０ｍｍ程度の小片状のものでもよく、さらにそれより大きい例えば直径１０〜３０ｍｍ、長さ１００〜２００ｍｍ程度のチップ状のものでもよい。また、これらの混合物であってもよく、特に粉粒状と小片状の混合物とすると、より均一な不陸整正層１を構成することができ好適である。
【００２０】
ここで、前記不陸整正層１中の木質材料３と表層土２との体積比（木質材料３の体積／表層土２の体積）は０．２〜０．５であることが望ましく、特に、０．３〜０．４であるのが最も好適である。すなわち、例えば前記体積比が０．１以上程度であれば人工芝グラウンドの泥濘化はある程度防止できるが、前記体積比が０．２未満の場合、木質材料３が少なすぎることにより表層土２が固まらず、不陸整正層１に不陸が生じるおそれがある。また、前記体積比が０．５より大きい場合、木質材料３が多すぎることにより不陸整正層１が固まらず、加えて、不陸整正層１のクッション性が良くなりすぎて、不陸が生じたり人工芝グラウンド上における競技に支障を来すおそれがある。
【００２１】
そして、前記不陸整正層１の上側に、マット状に形成された人工芝（以下、人工芝マットという）４が敷設されている。この人工芝マット４は、各種球技や陸上競技等を行える多目的グラウンドあるいは多目的コートに利用される公知の構成のものを採用することができる。なお、この実施の形態では、人工芝マット４として、化学繊維で天然芝を模して形成された多数の葉茎（パイル）５が基布６に植設されるとともに、葉茎５間には緩衝用としての目砂（１９〜２５ｍｍ厚）７が充填され、天然芝フィールドに相当する衝撃吸収機能を発揮するように構成されたロングパイル人工芝を用いている。
【００２２】
次に、上記不陸整正層１を含む人工芝グラウンドを施工するための施工方法の一例を、図２をも参照しながら説明する。まず、施工区全面に所定量の木質材料３を敷き均し（Ｓ１）、施工区の表層土２と木質材料３を耕うん装置を備えたトラクター等で混合する（Ｓ２）。ここで、前記表層土２は、施工区の例えば地表から深さ１０ｃｍ程度までの範囲にある土壌である。
【００２３】
続いて、前記表層土２と木質材料３とを混合してなる混合層表面を例えばブルドーザで不陸整正し（Ｓ３）、その後、例えばローラで転圧を行う（Ｓ４）。これにより、木質材料３が混合された表層土２は、透水性を持った状態で固化することになり、さらに、例えばモータグレーダでレベリング（Ｓ５）を行うことにより不陸整正層１が形成される。そして、この不陸整正層１の上に人工芝マット４を敷設する（Ｓ６）ことにより、人工芝グラウンドの施工が完了する。
【００２４】
なお、この発明は上記実施の形態に限られず、種々に変形して実施することができる。例えば、不陸整正層１と人工芝マット４との間にウレタン等の適宜の緩衝材（弾性材料）よりなる緩衝層を設けてもよい。
【００２５】
また、前記人工芝マット４として、葉茎５間に目砂７が充填されていないものを用いてもよい。
【００２６】
ここで、この発明の人工芝グラウンドの施工方法（および不陸整正層の施工方法）は、サッカー場等の大規模グラウンドの施工に限られず、例えば公園内のプレイロット周辺など小面積の施工にも適用することができる。このような場合、人工芝マット４としてユニット式砂入人工芝を用いることが大型機械等を必要としないため好適である。
【図面の簡単な説明】
【００２７】
【図１】この発明の一実施の形態に係る人工芝グラウンドの構成を概略的に示す縦断面図である。
【図２】前記人工芝グラウンドを施工するための施工方法の一例を概略的に示すフローチャートである。
【符号の説明】
【００２８】
１  不陸整正層
２  表層土
３  木質材料
４  人工芝
【図１】
2006037484.tif 000003
【図２】
2006037484.tif 000004